(57)【要約】      （修正有）【課題】スト及び工数を上げることなく、取り付ける部材を傷つけることを防止可能な波型ワッシャーを提供する。【解決手段】鞄の構成部材に取り付けられて構成部材を連結しあるいは鞄の外観を飾るための鞄用鋲を取り付ける際に用いられる鞄用波形ワッシャーであって、中央部に貫通孔３が形成された内周側縁部２と、内周側縁部２の外周側に連設された、周方向に見た中央部分を波形状に上方に隆起させた波形部４と、を具備した波形ワッシャーにおいて、波形部４の外周側の下端部分を内周側に曲げて折り返し部５を形成するとともに折り曲げた部分を湾曲状にし、あるいは、波形部４の外周側下端部にキャップを装着することで、波形部４の外周側下端部を曲面状に成形したことを特徴としており、これにより、部材を傷つけてしまうことを防止可能としている。【選択図】図３
0003201998.tif 000002
【実用新案登録請求の範囲】
【請求項１】
鞄の構成部材に取り付けられて構成部材を連結しあるいは鞄の外観を飾るための鞄用鋲を取り付ける際に用いられる鞄用波形ワッシャーであって、
中央部に貫通孔（３）が形成された内周側縁部（２）と、
該内周側縁部（２）の外周側に連設された、周方向に見た中央部分を波形状に上方に隆起させた波形部（４）と、を具備した波形ワッシャーにおいて、
前記波形部（４）の外周側下端部（９）を曲面状に形成した、ことを特徴とする鞄用波形ワッシャー。
【請求項２】
前記波形部（４）の外周側の下端部分を内周側に曲げて折り返し部（５）を形成するとともに、折り曲げた部分を湾曲状にすることで、前記波形部（４）の外周側下端部（９）を曲面状に成形したことを特徴とする請求項１に記載の鞄用波形ワッシャー。
【請求項３】
前記波形部（４）の外周側下端部にキャップ（７）を装着することで、前記波形部（４）の外周側下端部を曲面状にすることで、前記波形部（４）の外周側下端部（９）を曲面状に成形したことを特徴とする請求項１に記載の鞄用波形ワッシャー。
【考案の詳細な説明】
【技術分野】
【０００１】
本考案は鞄用の波形ワッシャーに係り、より詳しくは、生地を傷めることのない鞄用波形ワッシャーに関する。
【背景技術】
【０００２】
一般的にランドセル等の鞄では、鞄を構成する部材を連結するために、あるいは見た目を飾るために、部材に鋲を取り付けることが行われるが、このとき、鋲によって生地等の部材を傷つけることを防止するために、ワッシャーを用いることが行われる。
【０００３】
ここで、従来から行われている鋲の取り付け方法について説明すると、図８は鋲をランドセルの被せ蓋、ベルト等の鞄を構成する部材に取り付けた状態を示す断面図であり、図において３１が鋲である。そして、一般的にランドセル等に用いられる鋲３１は、頭部３２と、この頭部３２の下側に連設した胴部３３を有し、胴部３３の下端側には脚部３４が連設されており、脚部３４で部材を貫通した後に脚部３４を外周側に変形させてかしめることで、頭部３２を部材の表面側に露出させた状態で、鋲３１を部材に取り付けることを可能としている。
【０００４】
即ち、図８において３６が、被せ蓋、ベルト等の、ランドセルを構成する部材である。また３７はハトメであり、図において、従来の鋲３１を部材３６に取り付ける場合には、部材３６に貫通孔３８を形成した後に、この貫通孔３８にハトメ３７を嵌め込み、その状態で、脚部３４でハトメ３７を貫通し、更に鋲３１の頭部３２の下面が十分にハトメ３７の表面に当接した状態で脚部３４をハトメ３７の裏面側に変形させてかしめて、それによって、鋲３１を部材３６に取り付けることが可能となる。
【０００５】
ここで、図において３９はワッシャーである。即ち、前述のようにして鋲３１の脚部３４をかしめた場合において、何らの手当てをしないときには、脚部３４の先端部が部材３６の裏面に食い込んでしまい部材３６が傷ついてしまう恐れが考えられる。そのために従来からランドセル等の鞄において鋲を取り付ける場合には、部材の裏面に波型のワッシャーを配置しておき、鋲の脚部３４でワッシャーの貫通孔を貫通させた状態で脚部３４をかしめることとしている。
【０００６】
即ち、図９が波形ワッシャー３９の縦断正面構造を示す端面図であり、図において波型ワッシャー３９は、円盤状で中央に貫通孔４０が形成された平面状の内周縁部４１を具備しており、この内周縁部４１の外周側には、円盤状で円周方向に向いて中央部分を上方に隆起させた隆起部４２が連設されている。そして、鋲の脚部３４でワッシャーの貫通孔を貫通させた状態で脚部３４をかしめると、図８に示すように脚部３４の下端は内周縁部４１に当接するため、脚部３４の先端が生地に食い込むことが無いとともに、脚部３４の先端部の周囲にワッシャー３９の外周の隆起部が位置するので、見栄えを良くすることも可能である。
【０００７】
しかしながら、このように波型ワッシャーを用いることにより、鋲の脚部の先端で部材を傷つけることは防止可能だが、その一方、従来から用いられている波型ワッシャー３９では、隆起部の外周側端部の角部分がエッヂ状になっているために、このエッヂ部分が部材の裏面に食い込んでしまい、それにより部材が傷ついてしまう問題点があった。
【０００８】
そこで従来は、この問題点を解決するために、保護フィルムを用いていた。即ち、図８において４３が保護フィルムであり、この保護フィルム４３は円盤状としており、部材３６の裏面において前記ワッシャー３９の外周側端部と部材３６の裏面間に位置するように備えられる。そうすると、前記ワッシャー３９の外周側端部は部材３６に当接しないために、これにより、部材が傷つくことを防止することができる。
【先行技術文献】
【特許文献】
【０００９】
【特許文献１】実用新案登録第３１１６０３７号公報
【特許文献２】特開２００１−６５５２５号公報
【特許文献３】特開２００８−９３０２７号公報
【特許文献４】実用新案登録第３０３３８０８号公報
【特許文献５】実用新案登録第３０３３３１３号公報
【考案の概要】
【考案が解決しようとする課題】
【００１０】
しかしながら、このように波型ワッシャーと部材との間に保護フィルムを介在させた場合には、工数が増えるとともにコストと上がってしまうという問題点が指摘されていた。
【００１１】
そこで、本考案は、コスト及び工数を上げることなく、鋲を取り付ける部材を傷つけることを防止可能な波型ワッシャーを提供することを課題としている。
【課題を解決するための手段】
【００１２】
本考案の鞄用波形ワッシャーは、鞄の構成部材に取り付けられて構成部材を連結しあるいは鞄の外観を飾るための鞄用鋲を取り付ける際に用いられる鞄用波形ワッシャーであって、
中央部に貫通孔が形成された内周側縁部と、
該内周側縁部の外周側に連設された、周方向に見た中央部分を波形状に上方に隆起させた波形部と、を具備した波形ワッシャーにおいて、
前記波形部の外周側下端部の角部分を曲面状に形成した、ことを特徴としている。
【考案の効果】
【００１３】
本考案の鞄用波形ワッシャーは、中央部に開口が形成された内周側縁部と、この内周側縁部の外周側に連設された、周方向に見た中央部分を波形状に上方に隆起させた波形部と、を具備した波形ワッシャーにおいて、鋲を取り付ける部材の裏面に当接する波形部の外周側下端部の角部分を曲面状に形成しているため、部材を傷つけてしまうことを防止することができる。そしてこのとき、従来の方法と異なり、保護フィルムを用いることが不要であるため、コスト及び工数を上げることなく、部材を保護することが可能である。
【図面の簡単な説明】
【００１４】
【図１】本考案の鞄用波形ワッシャーの実施例の平面図である。
【図２】本考案の鞄用波形ワッシャーの実施例の底面図である。
【図３】図１におけるＡ−Ａ線端面図である。
【図４】本考案の鞄用波形ワッシャーの他の構成を説明するための端面図である。
【図５】本考案の鞄用波形ワッシャーの実施例の製造方法を説明するための図である。
【図６】本考案の鞄用波形ワッシャーの実施例の製造方法を説明するための図である。
【図７】本考案の鞄用波形ワッシャーの実施例の作用を説明するための断面図である。
【図８】従来の波形ワッシャーを説明するための図である。
【図９】従来の波形ワッシャーを説明するための図である。
【考案を実施するための形態】
【００１５】
本考案の鞄用波形ワッシャーは、鞄を構成する部材に取り付けられて部材を連結しあるいは鞄の外観を飾るための鞄用鋲を取り付ける際に用いられる鞄用波形ワッシャーであって、中央部に貫通孔が形成された平面状の内周側縁部を有しており、この内周側縁部の外周側には、周方向に見た中央部分を波形状に上方に隆起させた波形部が連設されている。そして、波形部の外周側の下端部は、角部分を曲面状に形成している。
【００１６】
ここで、波形部の外周側の下端部分を内周側に折り曲げるとともに、折り曲げた部分を湾曲状にすることで、波形部の外周側下端部の角部分を曲面状に形成するとよく、これにより、容易に波形部の外周側下端部の角部分を曲面状にすることができる。
【００１７】
またその他、角部分を曲面状に形成したキャップを、インサート成形、圧入により波形部の外周側下端部に装着することで、波形部の外周側下端部の角部分を曲面状に形成してもよく、これによっても、容易に波形部の外周側下端部の角部分を曲面状にすることができる。
【実施例１】
【００１８】
本考案の鞄用波形ワッシャー（以下単に「ワッシャー」という。）の実施例について図面を参照して説明すると、図１は本実施例のワッシャーの平面図、図２は本実施例のワッシャーの底面図、図３は図１のＡ−Ａ線端面図であり、図において１が本実施例のワッシャーである。
【００１９】
そして、本実施例のワッシャー１は、全体を金属製としており、内周側縁部を有している。即ち、図において２が内周側縁部であり、本実施例において前記内周側縁部２は、平面視野を円形とした平面状であり、中央部には、鋲の脚部が挿通する貫通孔３が形成されている。
【００２０】
次に、図において４は波状部である。即ち、前記内周側縁部２の外周側には波状部４が連設されており、この波状部４は、円周方向に見た中央部を波状に上方に隆起させた形状としている。
【００２１】
次に、図において５は折り返し部である。即ち、本実施例におけるワッシャー１では、前記波形部４の下端部に、ワッシャー１の内周側に向けて折り返し部５を連設している。そして、本実施例においては、前記波形部４の下端部９と折り返し部５の境部分を円弧状にしており、これにより、波形部４の下端部９を曲面状に形成し、波形部５の下端部９のエッヂを無くしている。そのため、本実施例のワッシャーを用いた場合には、波形部４の下端部９の曲面部分が鋲を取り付ける部材の裏面に当接するために、部材を傷つけることを防止することができる。
【００２２】
なお、本実施例において、前記波形部４の下端部９に前記折り返し部５を連設する方法を図５及び図６を参照して説明すると、本実施例においては、プレス成型により、内周側縁部と波形部を一体に形成するとともに、そのときに、前記波形部４の外周側に外周側縁部を連設しておく。この状態の平面図が図５であり、図において８が外周側縁部である。
【００２３】
そして、図６に示すように、外周側縁部８に、外周側から中心部分へ向けたスリット状の切り欠き６を複数形成し、その後に、この切り欠き６で分離された外周側縁部を内周側に折り返し、これにより折り返し部５を形成している。そしてそのとき、折り返し部分が曲面状になるようにする。そうすると、波形部４の下端部９を曲面状に形成して波形部５の下端部のエッヂを無くすことが可能となる。但し、必ずしもこの方法を採用する必要はなく、折り返し部５を連設する方法は限定されるものではない。また、ワッシャーの素材は必ずしも金属製に限定されるものではなく、樹脂等、いずれでも良い。
【００２４】
なお、波形部４の下端部９を曲面状に形成して波形部５の下端部９のエッヂを無くす方法としては、必ずしも、波形部４の下端部９に折り返し部５を連設する方法には限定されず、波形部４の下端部が曲面状に形成されればよく、いずれの方法を採用しても良い。
【００２５】
たとえば、図４はその他の方法を説明するための図であり、ワッシャーの縦断正面構造を示す端面図である。そして、図４に示す方法では、前記波形部４の下端部９にキャップ７を取り付けており、このキャップ７は、樹脂、金属等素材はいずれでも良いが、表面を曲面状に形成している。そのため、前述の場合と同様に、波形部４の下端部９を曲面状にすることができ、鋲で連結する部材の裏面を傷つけることを防止することができる。そして、このようにキャップ７を取り付ける場合には、キャップ７に波形部４の下端部９が挿入する挿入孔を形成しておき、この挿入孔内に波形部の下端部９を圧入する方法や、インサート成形によってキャップを波形部と一体に成形する方法が考えられるが、この方法は必ずしも限定されるものではなく、いずれの方法を採用してもよい。
【００２６】
また、前述の説明では、円形状の内周側縁部２を具備するとともにこの内周側縁部２の外周に波形部を形成し、貫通孔３も円形とした場合を説明したが、必ずしも円形には限定されず、四角形状、三角形状等、円形状以外の形状にしても良い。
【００２７】
次に、このように構成される本実施例のワッシャー１の作用について説明すると、図７は、本実施例のワッシャー１を用いて、鋲をランドセルの被せ蓋、ベルト等の、ランドセルを構成する部材に取り付けた状態を示す断面図であり、図において１４が鋲、１１はランドセルを構成する部材である。また、鋲１４は、頭部１４０１と、この頭部１４０１の下側に連設した胴部１４０２と、胴部１４０２の下端側に連設した脚部１４０３を具備している。
【００２８】
そして、本実施例のワッシャー１を用いて鋲１４を部材１１に取り付けるときには、まず、部材１１に形成した取付孔１２にハトメ１３を嵌め込む。そして次に、部材１１の裏面にワッシャー１を、ワッシャー１の貫通孔３と部材１１の取付孔１２が一致する配置で、ハトメ１２の下面に重ね合わせるとともに、鋲１４の脚部１４０３で取付孔１２を貫通しつつ、脚部１４０３の下端部分をワッシャー１の内周側縁部２側にかしめ、鋲１４を部材１１に取り付ける。
【００２９】
そうすると、部材１１の裏面にワッシャー１の波形部４の下端部９が当接するが、このとき、ワッシャー１の波形部４の下端部９は曲面状になっているため、部材１１を傷つけることを防止することができる。
【００３０】
このように本実施例のワッシャーでは、鋲を取り付ける鞄の構成部材の裏面に当接する波形部の外周側下端部の角部分を曲面状に形成しているため、保護フィルムを用いることなく、部材を傷つけてしまうことを防止することができ、コスト及び工数を上げることなく、部材を保護することが可能である。
【００３１】
また、波形部４の下端に内周側へ向けて折り返し部５を形成しているために、２枚以上のワッシャーが重なってしまうことがなく、メッキをする際にメッキ漏れが発生することも防止可能である。即ち、従来のワッシャーでは前述したように内周側縁部と波形部の構成あるいは、波形部の外周に外周側縁部を連設した構成であるために、重ね合わすことができてしまう。そのため、例えば多数枚のワッシャーにメッキを施す場合などにおいて、ワッシャーが重なっている場合には、メッキ不良のワッシャーが発生してしまう。しかし本実施例のワッシャーでは、折り返し部５が障害となって、ワッシャーが重なってしまうことがなく、そのために、メッキ不良の発生をも防止することが可能である。
【産業上の利用可能性】
【００３２】
本考案の鞄用波形ワッシャーは、鞄を構成する部材を連結し、あるいは見た目を飾るために部材に鋲を取り付ける際に、コストを上げることなく、生地等の部材を保護することができるので、鞄に用いられるワッシャーの全般に適用可能である。
【符号の説明】
【００３３】
１    波形ワッシャー
２    内周側縁部
３    貫通孔
４    波形部
５    折り返し部
６    スリット
７    キャップ
８    外周側縁部
９    波形部の下端部
１１    ランドセルを構成する部材
１２    取付孔
１３    ハトメ
１４    鋲
１４０１    鋲の頭部
１４０２    鋲の胴部
１４０３    鋲の脚部
【図１】
0003201998.tif 000003
【図２】
0003201998.tif 000004
【図３】
0003201998.tif 000005
【図４】
0003201998.tif 000006
【図５】
0003201998.tif 000007
【図６】
0003201998.tif 000008
【図７】
0003201998.tif 000009
【図８】
0003201998.tif 000010
【図９】
0003201998.tif 000011